(57)【要約】【課題】互いに別体をなす湯側弁，水側弁に製造上のばらつきがあっても、それらが弁ケース内面を円滑に摺動し得て、制御弁体による温度調節作用を良好に行うことのできる自動温度調節機能付きの湯水混合弁を提供する。【解決手段】互いに別体をなす水側弁２４と湯側弁２６とを弁軸２８で連結して組み付けて成る制御弁体２２を有し、感温ばね３４による制御弁体２２の位置の移動によって混合水の温度を設定温度に自動調節する湯水混合弁１０において、水側弁２４を湯側弁２６に対して軸線と直角方向のオフセット方向及び傾斜方向に相対移動可能としておく。【選択図】        図１
2008115891.tif 000002
【特許請求の範囲】
【請求項１】
(イ)筒状を成す弁ケースと、(ロ)互いに別体を成し、該弁ケースの内面に沿って摺動する水側弁と湯側弁とを連結部材で軸線方向に一体移動する状態に連結して組み付けて成り、該軸線方向の移動により該水側弁及び該湯側弁の開度を互いに逆の関係で大きく又は小さく変化させて水と湯との流入比率を変化させる制御弁体と、(ハ)混合水の温度上昇に感応して伸び、該混合水の温度を低下させる方向に該制御弁体の位置を移動させる感温体と、(ニ)該混合水の温度を上昇させる方向に該制御弁体を付勢するバイアスばねと、を有し、該感温体により該制御弁体の位置を移動させることによって前記混合水の温度を設定温度に自動調節する湯水混合弁において
前記水側弁と湯側弁とを、互いの軸線が該軸線と直角方向に平行移動する方向及び互いの軸線が交差する傾斜方向に相対移動可能となしてあることを特徴とする湯水混合弁。
【請求項２】
請求項１において、前記水側弁が前記連結部材と別体をなしていて、それら連結部材と水側弁との間にばねが介在させてあり、該ばねの弾性変形に基づいて該水側弁が前記湯側弁に対して相対移動可能となしてあることを特徴とする湯水混合弁。
【請求項３】
請求項２において、前記連結部材が軸状の部材であって、前記水側弁が中心の嵌合孔において該連結部材に遊嵌されており、該水側弁が前記ばねにより該連結部材に対し軸線方向に押圧状態に組み付けてあることによって該水側弁が前記湯側弁に対して相対移動可能となしてあることを特徴とする湯水混合弁。
【発明の詳細な説明】
【技術分野】
【０００１】
この発明は湯水混合弁に関し、詳しくは自動温度調節機能付きの湯水混合弁に関する。
【背景技術】
【０００２】
従来、この種自動温度調節機能付き（サーモスタット式）の湯水混合弁として、(イ)筒状を成す弁ケースと、(ロ)互いに別体を成し、弁ケースの内面に沿って摺動する水側弁と湯側弁とを連結部材で軸線方向に一体移動する状態に連結して組み付けて成り、軸線方向の移動により水側弁及び湯側弁の開度を互いに逆の関係で大きく又は小さく変化させて水と湯との流入比率を変化させる制御弁体と、(ハ)混合水の温度上昇に感応して伸び、混合水の温度を低下させる方向に制御弁体の位置を移動させる感温体と、(ニ)混合水の温度を上昇させる方向に制御弁体を付勢するバイアスばねと、を有し、感温体による制御弁体の位置の移動によって混合水温度を設定温度に自動調節する湯水混合弁が公知である。
【０００３】
図７はその具体例を示している。
同図において２００は円筒形状を成す弁ケースで、軸線方向に離隔した位置に水流入口２０２，湯流入口２０４が設けられている。
２０６は弁ケース２００内部に且つ軸線方向に移動可能に設けられた制御弁体で、弁ケース２００の内面に沿って摺動する水側弁２０８及び湯側弁２１０を有している。
【０００４】
ここで水側弁２０８及び湯側弁２１０は別体を成していて、それらが連結部材としての弁軸２１２により軸線方向に一体移動する状態に組み付けられ、以って制御弁体２０６を構成している。
詳しくは、図８に示しているように湯側弁２１０には水側弁２０８の側に向かって軸方向に突出する断面略十字状のアーム２１４が一体に備えられている。
ここでアーム２１４の図中右側の部分には中心部に円筒部が備えられていてその内周面に雌ねじ部２１８が形成されている。
【０００５】
一方、水側弁２０８は中心部に円形の嵌合孔２２０を有しており、その嵌合孔２２０において弁軸２１２に対し外嵌状態に嵌合している。
嵌合孔２２０の図中左端には大径部２２０Ａが形成されており、そしてこの大径部２２０Ａの形成により生じた段付部２２２の軸線と直角方向の段付面２２４を、アーム２１４の軸線と直角方向の先端面２２８に当接させる状態に大径部２２０Ａがアーム２１４に外嵌されている。
【０００６】
弁軸２１２には、軸端から所定距離離れた位置に環状溝が形成されていて、そこに径方向に弾性を有する止め輪２３０が装着されている。また軸端部には雄ねじ部２３２が形成されている。
弁軸２１２は、雄ねじ部２３２が湯側弁２１０の雌ねじ部２１８にねじ込まれ、そして止め輪２３０によって水側弁２０８を湯側弁２１０に押し付けている。
即ち、水側弁２０８の段付面２２４を湯側弁２１０のアーム２１４の先端面２２８に押し付ける状態に、弁軸２１２が湯側弁２１０の雌ねじ部２１８に一杯までねじ込まれ、これにより互いに別体を成す湯側弁２１０，水側弁２０８及び弁軸２１２が一体的に組み付けられている。
【０００７】
弁ケース２００には、これら水側弁２０８，湯側弁２１０の間の位置において、水側弁２０８，湯側弁２１０に各対応して水側弁座２３４，湯側弁座２３６が設けられており、それらに対し水側弁２０８，湯側弁２１０がそれぞれ当接するようになっている。
【０００８】
制御弁体２０６は、バイアスばね２４０にて図中左向き、即ち水側弁２０８を閉弁させる方向に付勢されており、また混合室２４２内に設けられた形状記憶合金から成る感温ばね（感温体）２４４によりこれとは反対方向の図中右向き、即ち湯側弁２１０を閉弁させる方向に付勢されている。
【０００９】
この湯水混合弁において、水流入口２０２及び湯流入口２０４を通じて流入した水と湯とは図中左向きに流れて混合室２４２へと到り、混合室２４２で水と湯とが混合された上で、その混合水が吐水部に向けて左方向に流出する。
【００１０】
２４６は回転操作軸で、この回転操作軸を回転操作することで進退部材２４８がねじ送りで図中左右方向に移動し、これによりバイアスばね２４０の付勢力が強く又は弱く変更される。
これにより制御弁体２０６の図中左右方向の位置、詳しくはバイアスばね２４０と感温ばね２４４との付勢力の釣合い位置が左右方向にシフトせしめられる。即ち湯水混合弁における混合水の温度が所望温度に設定されないしは設定変更される。
【００１１】
この湯水混合弁では、制御弁体２０６が図中左向きに一杯まで移動して水側弁２０８が水側弁座２３４に当接することで水側弁２０８が全閉、湯側弁２１０が全開となり、また逆方向に一杯まで移動して湯側弁２１０が湯側弁座２３６に当接することで湯側弁２１０が全閉，水側弁２０８が全開状態となる。
【００１２】
またそれらの中間位置において水側弁２０８及び湯側弁２１０を開き且つその開度を変化させて水，湯の流入量を変化させる。
具体的には、湯側弁２１０が全閉、水側部２０８が全開状態の下で回転操作軸２４６を回転（正方向回転）操作すると、バイアスばね２４０の付勢力が強まって制御弁体２０６が図中左方向に位置移動（シフト）させられる。
そしてそのシフトした状態においてバイアスばね２４０による左向きの付勢力と、感温ばね２４４による右向きの付勢力とが釣合った状態となり、その状態で水流入口２０２及び湯流入口２０４から流入する水と湯の混合水の温度が変動すると、これに伴って感温ばね２４４が付勢力を増減させて制御弁体２０６を左右方向に微動させる。これにより混合水温度が設定温度に維持される。
【００１３】
また一方回転操作軸２４６を逆方向に回転操作すると、バイアスばね２４０の付勢力が低下し、これにより制御弁体２０６が図中右方向にシフトさせられる。そしてそのシフト位置において感温ばね２４４の温度感知に基づく付勢力の増減によって混合水温度が自動調節される。
尚、この種の湯水混合弁については下記特許文献１にその一例が開示されている。
【００１４】
ところでこの湯水混合弁にあっては、湯側弁２１０におけるアーム２１４の先端面２２８と水側弁２０８の段付面２２４とが、湯側弁２１０，水側弁２０８の軸線に対して正しく直角の面となっているときには、湯側弁２１０の軸線に対して水側弁２０８の軸線が同軸線となるようにそれらを組み付けることができる（図９（Ａ）参照）。
【００１５】
ところが互いに別体をなす湯側弁２１０，水側弁２０８の製造上のばらつき等によって、それらアーム２１４の先端面２２８，段付面２２４が軸線に対し正しく直角の面となっていない場合が生じ、この場合湯側弁２１０と水側弁２０８とを組み付けたとき、図９（Ｂ）に示しているように水側弁２０８が湯側弁２１０に対し相対的に傾いた状態に取り付いてしまう。
【００１６】
この場合、水側弁２０８或いは湯側弁２１０が弁ケース２００内面に対して部分的に強く当った状態で弁ケース２００の内面を擦れながら摺動することとなり、その抵抗によって制御弁体２０６の移動による温調性能（温度調節性能）が悪化してしまう。
またこのように水側弁２０８（或いは湯側弁２１０）が弁ケース２００の軸線に対して傾いてしまうと、水流入口２０２，湯流入口２０４と水側弁２０８，湯側弁２１０との間隔が周方向でアンバランスとなり、このこともまた温調性能を悪化させる原因となる。
【００１７】
更に水側弁２０８，湯側弁２１０の製造上のばらつき等によって水側弁２０８が湯側弁２１０に対して相対的にオフセット方向（互いの軸線がその直角方向に平行移動する方向）に位置ずれした状態で固定的に組み付いてしまう場合もあり、この場合においても水側弁２０８，湯側弁２１０の弁ケース２００内面に対する円滑な摺動が阻害されて、制御弁体２０６による温調性能が悪化する問題を生ずる。
【００１８】
以上図７に示したものを例にとって説明したが、こうした問題は図７に例示したものに限らず、湯側弁２１０と水側弁２０８とを別体に構成して、それらを連結部材で軸線方向に一体移動する状態に連結することで制御弁体を構成して成る湯水混合弁に共通して生じる問題である。
【００１９】
【特許文献１】特開２００６−１１８５４５号公報
【発明の開示】
【発明が解決しようとする課題】
【００２０】
本発明は以上のような事情を背景とし、互いに別体をなす湯側弁，水側弁に製造上のばらつきがあっても、それらが弁ケース内面を円滑に摺動し得て、制御弁体による温度調節作用を良好に行うことのできる自動温度調節機能付きの湯水混合弁を提供することを目的としてなされたものである。
【課題を解決するための手段】
【００２１】
而して請求項１のものは、(イ)筒状を成す弁ケースと、(ロ)互いに別体を成し、該弁ケースの内面に沿って摺動する水側弁と湯側弁とを連結部材で軸線方向に一体移動する状態に連結して組み付けて成り、該軸線方向の移動により該水側弁及び該湯側弁の開度を互いに逆の関係で大きく又は小さく変化させて水と湯との流入比率を変化させる制御弁体と、(ハ)混合水の温度上昇に感応して伸び、該混合水の温度を低下させる方向に該制御弁体の位置を移動させる感温体と、(ニ)該混合水の温度を上昇させる方向に該制御弁体を付勢するバイアスばねと、を有し、該感温体により該制御弁体の位置を移動させることによって前記混合水の温度を設定温度に自動調節する湯水混合弁において、前記水側弁と湯側弁とを、互いの軸線が該軸線と直角方向に平行移動する方向及び互いの軸線が交差する傾斜方向に相対移動可能となしてあることを特徴とする。
【００２２】
請求項２のものは、請求項１において、前記水側弁が前記連結部材と別体をなしていて、それら連結部材と水側弁との間にばねが介在させてあり、該ばねの弾性変形に基づいて該水側弁が前記湯側弁に対して相対移動可能となしてあることを特徴とする。
【００２３】
請求項３のものは、請求項２において、前記連結部材が軸状の部材であって、前記水側弁が中心の嵌合孔において該連結部材に遊嵌されており、該水側弁が前記ばねにより該連結部材に対し軸線方向に押圧状態に組み付けてあることによって該水側弁が前記湯側弁に対して相対移動可能となしてあることを特徴とする。
【発明の作用・効果】
【００２４】
以上のように本発明は、互いに別体をなす水側弁と湯側弁とを連結部材とともに組み付けて、弁ケースの軸線方向に一体移動する制御弁体を構成して成る自動温度調節機能付きの湯水混合弁において、水側弁を湯側弁に対して軸線と直角方向に平行移動するオフセット方向及び傾斜方向に相対移動可能に組み付けて制御弁体を構成したもので、本発明によれば、水側弁が湯側弁に対し相対的にオフセット方向に位置がずれた状態で組み付けられた場合であっても、或いは水側弁が湯側弁に対して相対的に傾斜した状態で組み付いた場合であっても、湯側弁と水側弁とがそれらの方向に相対移動可能となしてあるため、制御弁体の移動時に水側弁や湯側弁が部分的に弁ケースの内面に強く当って大きな摺動抵抗を発生し、そのことによって制御弁体による温調性能が悪化する問題を解決することができる。即ち制御弁体による良好な温調性能を確保することができる。
【００２５】
本発明では、水側弁を連結部材と別体となして、それら連結部材と水側弁との間にばねを介在させ、そのばねの弾性変形に基づいて水側弁を湯側弁に対し相対移動可能となしておくことができる（請求項２）。
【００２６】
本発明ではまた、連結部材を軸状の部材にて構成して水側弁を中心の嵌合孔において連結部材に遊嵌し、そして水側弁と連結部材との間にばねを介装して、水側弁をばねにより連結部材に対し軸線方向に押圧状態に組み付けておくことができる（請求項３）。
この請求項３によれば、ばねの弾性変形に基づいて水側弁を湯側弁に対し相対移動可能とした状態で連結部材とともに組み付けて制御弁体を構成することができる。
この請求項３では、連結部材と水側弁の間にばねを介装することで、水側弁を連結部材を介して湯側弁側に押し付ける。この場合ばねの弾性変形による自由度により水側弁が連結部材に対して、即ち湯側弁に対して傾斜方向及びオフセット方向に自由に相対移動することができる。
またこの請求項３によれば、極めて簡単な構造で、水側弁が湯側弁に対して相対移動可能な制御弁体を構成することができる。
【００２７】
請求項３では、水側弁を連結部材に対して直接に軸線方向に押圧状態に組み付けておくことも可能であるが、請求項３に従って水側弁を上記ばねにより湯側弁に直接押し付ける状態に組み付けることによって、間接的にかかる水側弁を連結部材に対し軸線方向に押圧状態に組み付けるようになすことができる。
このようにすれば、ばねで押圧状態にすることで、２つの弁体間の距離を一定に保ち、尚且つばねの弾性変形による自由度にて水側弁の可動を確保でき、また制御弁体の構造を更に簡単な構造となすことができる。
【発明を実施するための最良の形態】
【００２８】
次に本発明の実施形態を図面に基づいて詳しく説明する。
図１及び図２において、１０は自動温度調節機能付きの湯水混合弁で、１２は円筒形状をなす弁ケースである。
弁ケース１２には、軸線方向に離隔した位置にこれを径方向に貫通する水流入口１４，湯流入口１６が設けられており、これらを通じて水，湯が内部に流入するようになっている。
流入した水と湯とは混合室１８で混合され、そしてその混合水が流出部２０から吐水部に向けて図中左向きに流出する。
【００２９】
２２は制御弁体で、弁ケース１２の内面に沿って摺動する水側弁２４，湯側弁２６及びそれらを軸線方向に連結する連結部材としての弁軸２８を有している。
制御弁体２２は、弁ケース１２の内部をその軸線方向に移動して水側弁２４，湯側弁２６の開度を互いに逆の関係で大きく又は小さく変化させ、水流入口１４，湯流入口１６からの水，湯の流入量を変化させる。即ち水と湯との混合比率を変化させて混合水の温度を調節する。
【００３０】
弁ケース１２には水側弁２４，湯側弁２６に対応して水側弁座３０，湯側弁座３２が設けられている。
制御弁体２２は、水側弁２４を水側弁座３０に当接させることで水側弁２４を閉弁状態として、水流入口１４からの水の流入を遮断する。
また湯側弁２６を湯側弁座３２に当接させることで湯側弁２６を閉弁状態として、湯流入口１６からの湯の流入を遮断する。
尚、水側弁２４が全閉状態のときには湯側弁２６は全開状態となり、また湯側弁２６が全閉状態となるときには水側弁２４は全開状態となる。
【００３１】
３４は混合室１８内に設けられた形状記憶合金製のコイルばねからなる感温ばねで、その一端（図中左端）を弁ケース１２の一部を形成する円筒形状のばね受３５に当接させ、また他端（図中右端）を湯側弁２６に対し軸方向に当接させ、制御弁体２２を図中右方向に付勢している。即ち水側弁２４を開、湯側弁２６を閉とする方向にその付勢力を制御弁体２２に対して及ぼしている。
【００３２】
この感温ばね３４は、混合室１８内部の混合水の温度に感応して付勢力を増減させる。詳しくは混合水の温度が上昇したときには制御弁体２２に対する図中右向きの付勢力を増大させて湯側弁２６を閉じる方向に、また水側弁２４を開く方向に制御弁体２２の位置を移動（シフト）させる。
また一方、混合水の温度が低下したときにはその付勢力を低下させ、後述のバイアスばね３６の付勢力によって湯側弁２６を開く方向に、また水側弁２４を閉じる方向に制御弁体２２の位置を移動させる。
【００３３】
３６は制御弁体２２に対し感温ばね３４による付勢力とは逆向きに付勢力を及ぼすバイアスばねで、その一端（図中左端）をばね受け３８を介して水側弁２４に対し軸方向に当接させ、また他端（図中右端）をストッパリング４０を後述の進退部材４２に当接させている。
【００３４】
４４は回転操作軸で、弁ケース１２から図中右向きに突出した部分の外周面にセレーション部４６を有しており、このセレーション部４６において回転ハンドルに一体回転状態に連結されるようになっている。
この回転操作軸４４は嵌合軸部４８を有しており、この嵌合軸部４８が、弁ケース１２の嵌合孔５０に回転可能に嵌合されている。
回転操作軸４４は、弁ケース１２の内部に底付きの円筒部５２を有している。そして回転操作軸４４は、この円筒部５２と回転操作軸４４に装着された径方向に弾性を有する止め輪５４にて、弁ケース１２に対し軸方向に固定されている。
【００３５】
円筒部５２の内周面には雌ねじ部が形成されており、この雌ねじ部が、円筒形状をなす進退部材４２の外周面の雄ねじ部に螺合されている。
この結果進退部材４２は、回転操作軸４４の回転操作に基づいてねじ送りで図中左右方向、即ち弁ケース１２の軸線方向に進退移動させられる。
そしてこの進退部材４２の進退移動によって、バイアスばね３６による制御弁体２２への付勢力が増減せしめられる。
【００３６】
尚、図３において９０は水流入口１４から流入した水を旋回流として混合室１８に流入させる旋回流発生部材で、弁ケース１２の内面に固定状態に設けられている。
この旋回流発生部材９０は内周面に多数のフィンを有しており、そのフィンにより水の流れを変えることで旋回流を発生させる。
【００３７】
この湯水混合弁１０では、回転操作軸４４を正方向に回転操作すると、進退部材４２がねじ送りで図中左向きに前進移動してバイアスばね３６の付勢力を増大させる。
その結果、制御弁体２２はバイアスばね３６による付勢力と、感温ばね３４による付勢力とが丁度釣り合う位置まで図中左方向に位置移動させられる。
即ち水側弁２４の開度を小，湯側弁２６の開度を大とする方向に制御弁体２２が位置移動させられる。
そしてその状態で感温ばね３４が混合水温度に感応して付勢力を増減させることで、制御弁体２２の位置が図中左右方向に微動させられて、混合水の温度を設定された温度に自動調節する。
【００３８】
一方回転操作軸４４を逆方向に回転操作すると、進退部材４２が図中右方向に後退移動してバイアス３６の付勢力を低下させる。
その結果制御弁体２２は、感温ばね３４による図中右向きの付勢力と、感温ばね３６による図中左向きの付勢力とが釣り合う位置まで図中右方向に位置移動させられ、そしてその釣合い位置で感温ばね３４による付勢力の増減に基づいて制御弁体２２が微動させられ、混合水温度を新たに設定された温度に自動調節する。
【００３９】
尚、回転操作軸４４を正方向に一杯まで回転操作すると水側弁２４が水側弁座３０に当接し閉弁状態となる一方、湯側弁２６が湯側弁座３２から一杯まで開いて全開状態となる。
また逆に回転操作軸４４を逆方向に一杯まで回転操作すると、今度は湯側弁２６が湯側弁座３２に当接して閉弁状態となり、また一方水側弁２４が全開状態となる。
【００４０】
図２及び図３に示しているように、本実施形態では水側弁２４と湯側弁２６とが別体をなしていて、それらが連結部材としての弁軸２８により軸線方向に連結されて組み付けられ、水側弁２４と湯側弁２６との軸線方向の距離を一定に保ちつつ弁ケース１２の軸線方向に一体に移動する制御弁体２２を構成している。
尚、これら水側弁２４，湯側弁２６のそれぞれには外周面に環状の弾性を有するシール部材５６が保持されており、水側弁２４，湯側弁２６と弁ケース１２の内面との間がそれらシール部材５６にて水密にシールされている。
【００４１】
湯側弁２６には、水側弁２４の側に向かって軸線方向に突出するアーム５８が一体に備えられている。
このアーム５８の付け根側の部分は横断面形状が十字状をなしており、また先端側の部分は円筒部６０とされている。
この円筒部６０の内周面には雌ねじ部６２が形成されている。
尚６４は円筒部６０の先端面を表している。
【００４２】
一方、水側弁２４は中心部に断面円形の嵌合孔６６を有しており、その嵌合孔６６において弁軸２８の外周面に軸線と直角方向に所定のクリアランスをもって遊嵌されている。
この嵌合孔６６の図中左側の部分は大径部６６Ａとされていて、この大径部６６Ａの形成により嵌合孔６６に段付部７０が形成されている。図中７２はその段付部７０の段付面を表している。
尚嵌合孔６６は円筒部７４の内側に形成されている。
【００４３】
水側弁２４にはまた、円筒部７４とは反対側にばね収容室７６が形成されていて、そこにコイルばねからなる押ばね７８が収容されている。
押ばね７８は、図４に示しているように一端（図中左端）をばね収容室７６の段付面８０に当接させ、また他端（図中右端）を弁軸２８に装着された止め輪８６に当接させている。
ここで止め輪８６は径方向に弾性を有しており、その弾性に基づいて弁軸２８に形成された環状溝８４に弾性的に嵌め込まれている。
【００４４】
弁軸２８の先端部（図中左端部）には雄ねじ部８２が設けられており、この雄ねじ部８２が、湯側弁２６の円筒部６０内側に形成された雌ねじ部６２にねじ込まれている。
そして湯側弁２６と弁軸２８とのねじ結合により、湯側弁２６，水側弁２４及び弁軸２８が軸線方向に一体移動する状態に組み付けられている。
【００４５】
この組付状態において、水側弁２４は段付面７２を湯側弁２６の円筒部６０の先端面６４に当接させる状態に大径部６６Ａが円筒部６０に外嵌され、そしてその状態で水側弁２４が押ばね７８によって湯側弁２６に対し図中左方向に押し付けられている。
即ち水側弁２４が、弁軸２８に対し押ばね７８によって軸線方向に押圧状態で湯側弁２６とともに組み付けられている。
【００４６】
この実施形態の湯水混合弁において、水側弁２４は押ばね７８により湯側弁２６に対し軸線方向に押し付けられる状態で組み付けられているため、図５（Ａ）に示しているように水側弁２４は湯側弁２６に対し相対的に傾斜する方向に移動可能であり、また（Ｂ）に示しているように軸線と直角方向のオフセット方向にも湯側弁２６に対して相対的に移動可能である。
【００４７】
そのため、湯側弁２６，水側弁２４の製造上のばらつきによって、また組付誤差によって水側弁２４が湯側弁２６に対し相対的に傾いた状態で組み付けられていたり、或いはオフセット方向にずれた位置に組み付けられていた場合であっても、押ばね７８の弾性変形に基づいて水側弁２４が弁ケース１２の内面に追従してその傾きやオフセット方向の位置を容易に変えることができ、制御弁体２２が弁ケース１２内で軸線方向に移動する際、それら湯側弁２６，水側弁２４が弁ケース１２の内面を円滑に摺動運動することができる。これにより制御弁体２２による良好な温度調節作用が確保される。
【００４８】
因みに図６は本実施形態の湯水混合弁の温調性能（温度調節性能）の確認試験を行った結果を比較例（図１〜図４の水側弁２４を押ばね７８を介さずに弁軸２８の止め輪にて直接湯側弁２６に押圧状態に固定したもの）とともに示している。
図６中（Ａ）は実施例品の特定結果を、また（Ｂ）は比較例品の測定結果をそれぞれ表している。
この試験では給湯圧力，給水圧力をそれぞれ０．４ＭＰａとし且つ混合水の設定温度を４０℃とし、その状態で実際の混合水温度を測定するとともに、給水圧力を０．４ＭＰａに、また設定温度を４０℃に保ったまま、給湯圧力を０．３，０．２，０．１，０．０５ＭＰａと変化させたときの、実際の混合水の温度の測定結果を縦軸に示している。
【００４９】
（Ｂ）の比較例では、給湯圧力を小さくして行くと各比較例品の間で実際の混合水温度が大きくばらついているが、実施例品の場合には給水圧力を低くして行っても、実際の混合水の温度は設定温度からあまり変化せず、制御弁体２２による温調作用が良好に行われていることが理解できる。
尚、図６において実施例品１〜５とあるのは５つの実施例品を作成して、それぞれについて試験を行った結果を表している。比較例品についても同様である。
【００５０】
以上のような本実施形態によれば、組付時において水側弁２４が湯側弁２６に対し相対的にオフセット方向に位置ずれした状態或いは傾斜した状態で組み付けられていた場合であっても、水側弁２４がそれらの方向に相対移動可能となしてあるため、制御弁体２２の移動時に水側弁２４や湯側弁２６が部分的に弁ケース１２の内面に強く当って大きな摺動抵抗を発生し、そのことによって制御弁体２２による温調性能が悪化する問題を解決して、制御弁体２２による良好な温調性能を確保することができる。
【００５１】
また本実施形態は押ばね７８の弾性変形に基づいて水側弁２４を湯側弁２６に対し相対移動可能に組み付けて制御弁体２２を構成してあるため、水側弁２４が湯側弁２６に対して相対移動可能な制御弁体２２を極めて簡単な構造で構成することができる。
【００５２】
以上本発明の実施形態を詳述したがこれはあくまで一例示であり、本発明はその趣旨を逸脱しない範囲において種々変更を加えた形態で構成可能である。
【図面の簡単な説明】
【００５３】
【図１】本発明の一実施形態である湯水混合弁の断面図である。
【図２】同実施形態の要部を各部品に分解して示す図である。
【図３】同実施形態の要部を各部品に分解して示した斜視図である。
【図４】同実施形態における制御弁体を示した図である。
【図５】同実施形態の湯水混合弁の作用説明図である。
【図６】同実施形態の湯水混合弁の温調性能の確認試験を行った結果を示す図である。
【図７】従来の湯水混合弁の図である。
【図８】図7の湯水混合弁の要部の分解図である。
【図９】図7の湯水混合弁の不具合の説明図である。
【符号の説明】
【００５４】
１０  湯水混合弁
１２  弁ケース
２２  制御弁体
２４  水側弁
２６  湯側弁
２８  弁軸（連結部材）
３４  感温ばね
３６  バイアスばね
６６  嵌合孔
７８  押ばね
【図１】
2008115891.tif 000003
【図２】
2008115891.tif 000004
【図３】
2008115891.tif 000005
【図４】
2008115891.tif 000006
【図５】
2008115891.tif 000007
【図６】
2008115891.tif 000008
【図７】
2008115891.tif 000009
【図８】
2008115891.tif 000010
【図９】
2008115891.tif 000011